(57)【要約】【課題】加熱室の冷却運転を行う際のユーザの利便性を向上させた加熱調理器を提供すること。【解決手段】本開示の加熱調理器は、マイクロ波による加熱およびヒータによる加熱を行う加熱調理器であって、加熱室と、筐体と、ドアと、ヒータと、マグネトロンと、冷却ファンと、循環ファンと、操作部と、制御部とを備え、加熱室内の壁面において、循環ファン用の吹出口および吸込口とは別に吸気口および排気口が形成されており、吸気口は冷却ファンによる冷風を吸気可能であり、排気口は筐体の外部に連通するように設けられており、制御部は、操作部において加熱室冷却モードが選択されると、ドアの開閉状態にかかわらず循環ファンおよび冷却ファンを運転させることで、吸気口を介して加熱室外から冷風を吸込み、排気口を介して加熱室外に空気を送り出す。【選択図】図１
2018136108.tif 000002
【特許請求の範囲】
【請求項１】
マイクロ波による加熱およびヒータによる加熱を行う加熱調理器であって、
被加熱物を加熱する加熱室と、
加熱室の外側に設けられる筐体と、
加熱室を開閉するドアと、
加熱室内を加熱するヒータと、
加熱室と筐体の間の空間に設けられ、加熱室に供給するマイクロ波を発生させるマグネトロンと、
加熱室と筐体の間の空間に設けられ、マグネトロンを冷却する冷却ファンと、
加熱室と筐体の間の空間に設けられ、加熱室の壁面に設けられた吹出口を介して加熱室内に送風し、同壁面に設けられた吸込口を介して風を吸い込む循環ファンと、
調理メニューを操作するための操作部と、
加熱調理器の運転を制御する制御部とを備え、
加熱室内の壁面において、循環ファン用の吹出口および吸込口とは別に吸気口および排気口が形成されており、吸気口は冷却ファンによる冷風を吸気可能であり、排気口は筐体の外部に連通するように設けられており、
制御部は、操作部において加熱室冷却モードが選択されると、ドアの開閉状態にかかわらず循環ファンおよび冷却ファンを運転させることで、吸気口を介して加熱室外から冷風を吸込み、排気口を介して加熱室外に空気を送り出す、加熱調理器。
【請求項２】
ドアの開閉を判定するドア開閉判定部をさらに備える、請求項１に記載の加熱調理器。
【請求項３】
制御部は、ドア開閉判定部によってドアが開いていると判定された場合に、加熱室冷却モードにおいて、循環ファンの回転数を途中で上昇させるように制御する、請求項２に記載の加熱調理器。
【請求項４】
制御部は、ヒータにより加熱室内を加熱して循環ファンを運転するヒータ加熱モードを有し、ドア開閉判定部によってドアが開いていると判定された場合に、加熱室冷却モードの開始時における循環ファンの回転数を、ヒータ加熱モードにおける循環ファンの回転数よりも低く制御する、請求項２又は３に記載の加熱調理器。
【請求項５】
制御部は、循環ファンおよび／又は冷却ファンの回転数を異ならせて運転する複数の加熱室冷却モードを有し、加熱室冷却モードが選択された時の条件に応じて複数の加熱室冷却モードのうちの１つを選択して実行する、請求項２から４のいずれか１つに記載の加熱調理器。
【請求項６】
加熱室の温度を測定する温度測定部をさらに備え、
制御部は、温度測定部による温度の測定結果に応じて終了する第１の加熱室冷却モードと、所定時間の経過によって終了する第２の加熱室冷却モードとを有し、
操作部は、第１の加熱室冷却モードと第２の加熱室冷却モードのいずれかを選択可能とする、請求項１から５のいずれか１つに記載の加熱調理器。
【発明の詳細な説明】
【技術分野】
【０００１】
本開示は、マイクロ波による加熱およびヒータによる加熱を行う加熱調理器に関する。
【背景技術】
【０００２】
従来より、マイクロ波による加熱およびヒータによる加熱を行う加熱調理器が提案されている（例えば、特許文献１参照）。
【０００３】
ヒータによる加熱調理の後は加熱室内が高温になるが、解凍調理などを行う場合には加熱室は冷却された状態であることが望ましいため、高温の加熱室を速やかに冷却する必要がある。特許文献１に記載の加熱調理器は、高温の加熱室を速やかに冷却するために、ドアを開けた状態で熱風循環ファンを動作させて加熱室に風を供給することで、加熱室内の空気を入れ替えてヒータ調理後の加熱室内部を冷却するものである。
【先行技術文献】
【特許文献】
【０００４】
【特許文献１】特許第３２５９４７３号
【発明の概要】
【発明が解決しようとする課題】
【０００５】
しかしながら、特許文献１に記載の加熱調理器では、加熱室の冷却を行うタイミングがドアを開けた状態のみに限られていた。このように、加熱室の冷却を行うタイミングが制限されているため、ユーザの利便性という観点では改善の余地があるといえる。
【０００６】
本開示は、課題を解決するものであり、加熱室の冷却運転を行う際のユーザの利便性を向上させることができる加熱調理器を提供することを目的とする。
【課題を解決するための手段】
【０００７】
本開示の一態様の加熱調理器は、マイクロ波による加熱およびヒータによる加熱を行う加熱調理器であって、被加熱物を加熱する加熱室と、加熱室の外側に設けられる筐体と、加熱室を開閉するドアと、加熱室内を加熱するヒータと、加熱室と筐体の間の空間に設けられ、加熱室に供給するマイクロ波を発生させるマグネトロンと、加熱室と筐体の間の空間に設けられ、マグネトロンを冷却する冷却ファンと、加熱室と筐体の間の空間に設けられ、加熱室の壁面に設けられた吹出口を介して加熱室内に送風し、同壁面に設けられた吸込口を介して風を吸い込む循環ファンと、調理メニューを操作するための操作部と、加熱調理器の運転を制御する制御部とを備え、加熱室内の壁面において、循環ファン用の吹出口および吸込口とは別に吸気口および排気口が形成されており、吸気口は冷却ファンによる冷風を吸気可能であり、排気口は筐体の外部に連通するように設けられており、制御部は、操作部において加熱室冷却モードが選択されると、ドアの開閉状態にかかわらず循環ファンおよび冷却ファンを運転させることで、吸気口を介して加熱室外から冷風を吸込み、排気口を介して加熱室外に空気を送り出す。
【発明の効果】
【０００８】
本開示によれば、加熱室の冷却運転を行う際のユーザの利便性を向上させることができる。
【図面の簡単な説明】
【０００９】
【図１】本発明の実施の形態における加熱調理器の外観を示す斜視図
【図２】ドアを開いた状態の斜視図
【図３】図１のＡ―Ａ断面図
【図４】図１のＢ―Ｂ断面図
【図５】底板を示す斜視図
【図６】加熱調理器の底部機械室を示す斜視図
【図７】インバータ基板と制御基板のカバーを外した状態の底部機械室の斜視図
【図８】加熱調理器の底板を外した状態の下方視の斜視図
【図９】コンベクションヒータユニットの構成を示す加熱調理器の後部の分解斜視図
【図１０】筐体を取り外した状態の加熱調理器の左側面と背面を示す斜視図
【図１１Ａ】加熱室冷却モードを実施したときの加熱室内の空気の流れを示す図（ドアが閉じた状態）
【図１１Ｂ】加熱室冷却モードを実施したときの加熱室内の空気の流れを示す図（ドアが開いた状態）
【図１２】加熱室冷却モードの複数のパターンに対応する実施例１−４を示す図
【発明を実施するための形態】
【００１０】
第１の発明は、マイクロ波による加熱およびヒータによる加熱を行う加熱調理器であって、被加熱物を加熱する加熱室と、加熱室の外側に設けられる筐体と、加熱室を開閉するドアと、加熱室内を加熱するヒータと、加熱室と筐体の間の空間に設けられ、加熱室に供給するマイクロ波を発生させるマグネトロンと、加熱室と筐体の間の空間に設けられ、マグネトロンを冷却する冷却ファンと、加熱室と筐体の間の空間に設けられ、加熱室の壁面に設けられた吹出口を介して加熱室内に送風し、同壁面に設けられた吸込口を介して風を吸い込む循環ファンと、調理メニューを操作するための操作部と、加熱調理器の運転を制御する制御部とを備え、加熱室内の壁面において、循環ファン用の吹出口および吸込口とは別に吸気口および排気口が形成されており、吸気口は冷却ファンによる冷風を吸気可能であり、排気口は筐体の外部に連通するように設けられており、制御部は、操作部において加熱室冷却モードが選択されると、ドアの開閉状態にかかわらず循環ファンおよび冷却ファンを運転させることで、吸気口を介して加熱室外から冷風を吸込み、排気口を介して加熱室外に空気を送り出す、加熱調理器である。
【００１１】
このような構成により、ドアの開閉状態にかかわらず加熱室冷却モードを実施して加熱室内を速やかに冷却することができ、加熱室の冷却運転を行う際のユーザの利便性を向上させることができる。
【００１２】
第２の発明は、特に、第１の発明において、ドアの開閉を判定するドア開閉判定部をさらに備える。
【００１３】
このような構成によれば、ドアの開閉状態に応じて加熱室冷却モードの制御方法を変える等の工夫が可能となる。
【００１４】
第３の発明は、特に、第２の発明における制御部は、ドア開閉判定部によってドアが開いていると判定された場合に、加熱室冷却モードにおいて、循環ファンの回転数を途中で上昇させるように制御する。
【００１５】
このような構成により、特にドアが開かれた状態で加熱室冷却モードが運転された場合に、加熱室の温度が高い初期段階において熱風が庫外に出ることを抑制して安全性を担保しながら、加熱室内を効率的に冷却することができる。
【００１６】
第４の発明は、特に、第２の発明又は第３の発明における制御部は、ヒータにより加熱室内を加熱して循環ファンを運転するヒータ加熱モードを有し、ドア開閉判定部によってドアが開いていると判定された場合に、加熱室冷却モードの開始時における循環ファンの回転数を、ヒータ加熱モードにおける循環ファンの回転数よりも低く制御する。
【００１７】
このような構成により、特にドアが開かれた状態で加熱室冷却モードが運転された場合に、加熱室の温度が高い初期段階において熱風が庫外に出ることを抑制し、安全性を向上させることができる。
【００１８】
第５の発明は、特に、第２の発明から第４の発明のいずれかにおける制御部は、循環ファンおよび／又は冷却ファンの回転数を異ならせて運転する複数の加熱室冷却モードを有し、加熱室冷却モードが選択された時の条件に応じて複数の加熱室冷却モードのうちの１つを選択して実行する。
【００１９】
このような構成により、加熱室の冷却をより適切に実施することができる。
【００２０】
第６の発明は、特に、第１の発明から第５の発明のいずれかにおける加熱室の温度を測定する温度測定部をさらに備え、制御部は、温度測定部による温度の測定結果に応じて終了する第１の加熱室冷却モードと、所定時間の経過によって終了する第２の加熱室冷却モードとを有し、操作部は、第１の加熱室冷却モードと第２の加熱室冷却モードのいずれかを選択可能とする。
【００２１】
このような構成により、状況に応じて適切な加熱室冷却モードをユーザは選択することができ、ユーザの利便性を向上させることができる。
【００２２】
以下に、本発明にかかる実施の形態を図面に基づいて詳細に説明する。
【００２３】
（実施の形態）
図１は、本発明の実施の形態における加熱調理器の外観を示す斜視図である。図２は、ドアを開いた状態の斜視図である。図３は、図１のＡ―Ａ断面図であり、図４は、図１のＢ―Ｂ断面図である。図５は、底板を示す斜視図である。図６は、加熱調理器の底部機械室を示す斜視図である。図７は、インバータ基板と制御基板のカバーを外した状態の底部機械室の斜視図である。図８は、加熱調理器の底板を外した状態の下方視の斜視図である。図９は、コンベクションヒータユニットの構成を示す加熱調理器の後部の分解斜視図である。図１０は、筐体を取り外した状態の加熱調理器の左側面と背面を示す斜視図である。図１１は、加熱室冷却モードの複数のパターンを示す表である。
【００２４】
＜１＞加熱調理器の構成
本実施の形態における加熱調理器１は、被加熱物を収納する加熱室２００（図２）に、高周波（マイクロ波）と、輻射熱と、熱風と、蒸気のうち少なくとも１つを供給して被加熱物を加熱する加熱調理器である。加熱調理器１は、主要な構成として、図３以降に示すように、高周波発生部４００と、上ヒータユニット５００と、コンベクションヒータユニット６００と、蒸気発生部７００とを備える。
【００２５】
本明細書では、筐体１００のドア３００を有する側を前方とし、この前方より後方に向かって右側を右方、左側を左方として、以下の説明を行う。
【００２６】
図２に示すように、筐体１００の内側には、加熱室２００が設けられている。加熱室２００は、前面に開口を形成する空間である。加熱室２００の両側面と上面とを一体に覆う筐体ケース１１０と、加熱室２００の下方に配置された底板１２０と、加熱室２００の背面に配置された後板１３０（図３）とで、筐体１００の外郭が構成されている。加熱室２００と筐体１００の間には、間隙が確保されている。この間隙は断熱空間として作用する。この間隙内には、加熱調理器を駆動する各機能部品が配置されている。
【００２７】
図１、図２に示すように、筐体１００の前面には、加熱室２００の開口を開閉するドア３００が設置されている。ドア３００の下端は、筐体１００の下端部に軸支されており、上下方向に回動可能である。図１に示すように、ドア３００の前面右側部には、操作部３１０が設けられている。
【００２８】
操作部３１０は、調理メニューを操作するための部材である。本実施の形態における操作部３１０は、操作と表示を一体で行うタッチパネル式の液晶３１１と、複数のボタン３１２とを備える。
【００２９】
図２に示すように、筐体１００の前面には、ドア３００の開閉状態を判定するドア開閉判定部３３０が設けられている。本実施の形態におけるドア開閉判定部３３０は、押し込み式のボタンによって構成されている。ドア開閉判定部３３０は、ドア３００が開いているときには外側に突出した状態に付勢される一方で、ドア３００が閉じられたときにはドア３００によって押し込まれた状態となる。このようなドア開閉判定部３３０の状態の違いによる開閉状態の判定結果は、後述する制御基板９２０に送信される。
【００３０】
ドア３００の下方右側には、蒸気発生部７００に供給する水を貯溜する給水タンク７３０が着脱自在に設置されている。給水タンク７３０の左側には、加熱室２００内で結露した結露水を貯溜する排水タンク２０２が着脱自在に設置されている。
【００３１】
図２−図４に示すように、加熱室２００の右側壁２１０と左側壁２２０には、上面が水平な支持突起２０１が前後方向に沿って上下に複数段（本実施の形態では３段）設けられている。支持突起２０１は、オーブン調理に使用する角皿と、グリル調理に使用するグリル皿を支持するための突起部である。
【００３２】
図３に示すように、加熱室２００の右側壁２１０の上部中央には孔が形成されており、赤外線センサ１５０が配置されている。この孔を通して赤外線センサ１５０が被加熱物の温度を検出する。加熱室２００の右側壁２１０にはさらに２箇所の角孔が形成されており、加熱室２００の内部を照明するＬＥＤ１５１が配置されている。
【００３３】
図４に示すように、加熱室２００の左側壁２２０の前方下部には、吸気口（外気吸気口）２２１が設置されている。吸気口２２１は、複数の円形のパンチ孔が略長方形に配設されて構成されている。吸気口２２１から、加熱室２００と筐体１００の間における低温で低湿度の空気を加熱室２００内に導入し、循環ファン６２０の送風と合流させてドア３００の内面に沿って送風することができる。これにより、加熱室２００内を冷却するとともにドア３００のガラス面の結露を抑制することができる。
【００３４】
加熱室２００の左側壁２２０の上部中央には、蒸気発生部７００から加熱室２００に蒸気を噴出する蒸気噴出口７０１が配置されている。
【００３５】
加熱室２００の天面２３０の上には、上ヒータユニット５００が設置されている。上ヒータユニット５００は、前後に２本の管状のミラクロンヒータ５１０と、中央に１本の管状のアルゴンヒータ５２０が並設されている。これらの管状ヒータは主に赤外線を放射して、加熱室２００内に収容された被加熱物を輻射熱で直接加熱する。
【００３６】
図３に示すように、加熱室２００の天面２３０の右側後部には、加熱室２００内の温度を検出するサーミスタ１５２が設置されている。サーミスタ１５２は、加熱室２００内の温度を測定する温度測定部である。
【００３７】
図９に示すように、加熱室２００の後壁２４０の裏側には、加熱室２００内に熱風を循環するコンベクションヒータユニット６００が設置されている。
【００３８】
加熱室２００の後壁２４０の中央には、吸込口２４１が形成されている。吸込口２４１は、複数の円形のパンチ孔が形成された領域が、全体として略六角形になるように配設されて構成されている。後壁２４０の周縁部には、吹出口２４２が形成されている。吹出口２４２は、複数の円形のパンチ孔が形成された領域が、略長方形になるように配設されて構成されている。吸込口２４１より加熱室２００内の空気を吸引し、吹出口２４２よりその空気を加熱室２００内に送風している。
【００３９】
本実施の形態ではさらに、加熱室２００の後壁２４０の右上および右下には、排気口２６０が形成されている。排気口２６０は、複数の円形のパンチ孔で形成されている。前述した吸込口２４１および吹出口２４２は、加熱室２００と筐体１００の間の空間に連通するのに対して、排気口２６０は、さらにその外側である筐体１００の外部に直接連通する。このような排気口２６０を設けることで、ドア３００が閉じた状態であっても、加熱室２００内の空気を、加熱調理器１の外部の空気と入れ替えることができる。
【００４０】
後壁２４０の外方には、ファンケース６１０が配置されている。このファンケース６１０の内側には、循環ファン６２０とヒータ（シーズヒータ）６３０とが設置されている。循環ファン６２０は、左回転のシロッコタイプのファンである。循環ファン６２０の外周を取り巻くように、螺旋状に形成したヒータ６３０が配置されている。
【００４１】
ファンケース６１０の後面には、モータ支持具６４０および循環モータ６５０が設置されている。循環モータ６５０の回転軸に循環ファン６２０が締結される。
【００４２】
本実施の形態における循環モータ６５０は、回転数が可変なＤＣモータが用いられている。循環モータ６５０によって駆動される循環ファン６２０は、回転数を変化させながら運転可能である。
【００４３】
コンベクションヒータユニット６００の後方には、間隙を設けて、図３、図４などに示した後板１３０が配置されている。循環モータ６５０は、コンベクションヒータユニット６００と後板１３０の間の間隙を通過する送風により、冷却される。
【００４４】
図１０に示すように、加熱室２００の左側壁２２０の外側の後方上部には、蒸気発生部７００が設置されている。蒸気発生部７００は、タンク７１０と、タンク７１０内部に設置されたシーズヒータ７２０とを備える。タンク７１０の給水口より、タンク７１０内に供給された水をシーズヒータ７２０で加熱して蒸気を発生させる。発生した蒸気は、図４に示した蒸気噴出口７０１から、加熱室２００内に噴出する。
【００４５】
図３および図４に示すように、加熱室２００の底面板２５２の下方には、高周波（マイクロ波）を放射する高周波発生部４００が設置されている。高周波発生部４００は、回転アンテナ４１０を備える。回転アンテナ４１０は、高周波を加熱室２００の内部に放射する。
【００４６】
底面板２５２の下方には、高周波を発生するマグネトロン４２０と、回転アンテナ４１０を回転させるアンテナモータ４１１がそれぞれ設置されている。マグネトロン４２０で発生した高周波は、導波管（図示せず）を介して回転アンテナ４１０に伝搬し、回転アンテナ４１０から加熱室２００内に放射される。
【００４７】
高周波発生部４００から放射される高周波は、主に被加熱物を直接加熱するために使用される。一方で、高周波はグリル皿に放射されることにより、グリル皿を発熱させ、被加熱物の主に下面を加熱するためにも使用される。
【００４８】
図６および図７に示すように、筐体１００の下部に設置される底板１２０には、加熱調理器の各機能を駆動する駆動機構と、制御機構等が設置されている。上側に位置する加熱室２００の底面２５０と、下側に位置する底板１２０との空間で、機械室が形成されている。機械室には、加熱調理器の中心的な機能である高周波発生部４００と制御部等が配置されている。
【００４９】
図５に示すように、底板１２０には、複数の凹陥部１２１および開口等の加工が施されている。底板１２０には、冷却用の空気を吸引する吸気口（冷却吸気口）１２２として、複数の円形のパンチ孔が配設されている。
【００５０】
図６に示すように、底板１２０の前部の中央より左側には、発熱部材を始め加熱調理の各所を冷却する冷却ファンユニット８００が設置されている。冷却ファンユニット８００が対向する部分の底板１２０には、吸気口１２２が配設されている。冷却ファンユニット８００の上方には、内部に空洞部が形成されるファンカバー８０１が設置されている。底板１２０に形成された吸気口１２２から吸引された外気が、冷却ファンユニット８００の上下両面に設けられたファン吸気口に送給される。
【００５１】
図８に示すように、底板１２０の中央には、冷却ファン８２０が設置されている。冷却ファン８２０は、主吐出口８１１および副吐出口８１２から冷却風を吹き出す部材である。冷却ファン８２０は、ＤＣモータ８３０によって回転駆動される。
【００５２】
ＤＣモータ８３０は回転数が可変である。ＤＣモータ８３０によって駆動される冷却ファン８２０は、回転数を変化させながら運転可能である。
【００５３】
図７に示すように、冷却ファンユニット８００の主吐出口８１１の後方となる底板１２０の後部中央には、マグネトロン４２０を駆動するインバータ９１０が設置されたインバータ基板９００が配置されている。インバータ基板９００の上方には、インバータ基板カバー９１１が設置されている（図６）。インバータ基板９００の上下に空洞部が形成され、上下の空洞部に冷却ファンユニット８００から冷風が送風されて、冷却される。インバータ基板カバー９１１の後部には、送給された送風の一部を後部上方向かって放出する後部連通口９１２が設けられている。
【００５４】
図８に示すように、底板１２０の右側には、制御基板９２０が配設されている。制御基板９２０には、マイクロコンピュータを含む回路部品が配置されている。制御基板９２０は、加熱調理器１の運転を制御する制御部の一例である。制御基板９２０は例えば、メモリと、ＣＰＵなどのプロセッサに対応する処理回路とを備えてもよい。
【００５５】
制御基板９２０の上方には、制御基板カバー９２１が設置されており（図６）、制御基板９２０の上下に空洞部が形成されている。上下の空洞部に、冷却ファンユニット８００からの冷風が送風されて、冷却される。制御基板カバー９２１の右後方には、送給された冷風を右側空洞の上方に向かって放出する右側連通口９２３が設けられている。
【００５６】
図７に示すインバータ基板９００には、インバータ９１０と冷却用のヒートシンク等が配置されている。
【００５７】
図８に示すように、冷却ファンユニット８００の副吐出口８１２の後方には、高周波発生部４００のマグネトロン４２０が配置されている。冷却ファン８２０から冷風が送風されて、冷却される。
【００５８】
上記構成において、冷却ファン８２０からの冷風は、マグネトロン４２０などの部品を冷却した後、加熱室２００と筐体１００の間の空間を上方に流れる。そのうちの一部が、前述した加熱室２００の左側壁２２０に設けられた吸気口２２１を介して加熱室２００内に流れる。
【００５９】
＜２＞加熱室冷却モード
次に、加熱室２００を冷却するモードである加熱室冷却モードについて説明する。
【００６０】
上ヒータユニット５００を用いたグリル加熱や、コンベクションヒータユニット６００を用いたオーブン加熱の後は、加熱室２００内の温度が高くなる。加熱室２００内の温度が高いときに、例えばマイクロ波を用いて行う解凍調理のメニューが選択された場合、食品を均一に解凍することができない場合がある。
【００６１】
本実施の形態の加熱調理器１では、解凍調理などの加熱室２００内の温度が低い状態から開始することが望ましいメニューが選択された場合に、サーミスタ１５２により加熱室２００内の温度を測定する。このとき、測定した温度が所定温度以上である場合に、次の調理メニューを実行できない旨を示すアラームを出すとともに、「加熱室冷却モード」をユーザが選択可能に構成している。具体的には、操作部３１０の液晶３１１に「加熱室冷却モード」を選択する画面が表示される。液晶３１１において加熱室冷却モードが選択されると、制御基板９２０が、予め記憶している所定の加熱室冷却モードを実行し、循環ファン６２０および冷却ファン８２０の回転数などを制御する。
【００６２】
本実施の形態の加熱室冷却モードは、ヒータ６３０などのヒータを停止した状態で循環ファン６２０と冷却ファン８２０を運転することにより、加熱室２００内の空気を外部の空気と入れ替えて、加熱室２００内を冷却するものである。本実施の形態では特に、加熱室２００の内壁面に、冷却ファン８２０による冷風の一部を吸引可能な吸気口２２１と、筐体１００外部に連通する排気口２６０を設けている。このような構成では、ドア３００の開閉状態にかかわらず加熱室冷却モードを実行することで、吸気口２２１および排気口２６０を介して加熱室２００内の空気の入れ替えを促進して、加熱室２００を効率的に冷却することができる。
【００６３】
図１１Ａ、１１Ｂは、加熱室冷却モードを実行したときに加熱室２００内に生じる風の流れを示す模式図である。図１１Ａは、ドア３００が閉じられた状態を示し、図１１Ｂは、ドア３００が開けられた状態を示す。
【００６４】
図１１Ａに示すように、循環ファン６２０の運転により、吸込口２４１を介して加熱室２００から空気を取り込む流れが生じるとともに（矢印Ａ１）、吹出口２４２を介して加熱室２００内へ空気を吹き出す流れが生じる（矢印Ａ２）。また、冷却ファン８２０の運転により、吸気口２２１を介して冷風が加熱室２００内に吸い込まれる流れが生じる（矢印Ａ３）。さらに、排気口２６０を介して加熱室２００内の空気が外部へ流出する流れが生じる（矢印Ａ４）。
【００６５】
このような空気の流れによれば、冷却ファン８２０によって加熱室２００内を冷却しながら、循環ファン６２０によって加熱室２００内の空気の対流を促進しつつ、排気口２６０を介して加熱室２００の空気が外部に排出される。これにより、ドア３００が閉じられた状態であっても加熱室２００内の空気の入れ替えを促進して冷却することができる。
【００６６】
一方で、ドア３００が開かれた状態では、図１１Ｂに示すように、図１１Ａに示した空気の流れに加えて、加熱室２００から外部へ流出する空気の流れ（矢印Ａ５）と、外部から加熱室２００へ流入する空気の流れ（矢印Ａ６）がさらに生じる。
【００６７】
このような空気の流れによれば、加熱室２００内の空気と外部の空気の入れ替えがさらに促進されるため、加熱室２００内の冷却を促進することができる。
【００６８】
次に、加熱室冷却モードの具体的な実施例について、図１２を用いて説明する。
【００６９】
本実施の形態の制御基板９２０は例えば、図１２に示す複数の実施例１−４による加熱室冷却モードのいずれかを実行することができる。本実施の形態では、複数の実施例１−４のうちの１つが予め設定された状態で、加熱室冷却モードの実行が選択されたときに、予め設定された実施例のパターンに基づいて制御を行うものである。
【００７０】
図１２の表において、「ドア開／閉」の欄は、ドア３００の開閉状態を表す。ドア３００の開閉状態は、前述したドア開閉判定部３３０による判定結果が用いられる。図１２に示すように、実施例１では、ドア開閉判定部３３０による判定結果にかかわらず、ファンの回転数を同じ回転数で運転し、一方で、実施例２−４では、ドア開閉判定部３３０による判定結果に応じて、ファンの回転数を異ならせて運転する。
【００７１】
「ファン」の欄は、運転されるファンの名称である。「循環ファン」は循環ファン６２０であり、「冷却ファン」は冷却ファン８２０である。
【００７２】
「ファン回転数」の欄は、「ファン」の欄に記載されるファンの運転回転数の大きさを表す。本実施の形態では、循環ファン６２０の回転数は小さい順に「弱」、「中」、「強」の３段階で可変に構成される。冷却ファン８２０の回転数も小さい順に「弱」、「中」、「強」の３段階で可変に構成されるが、実施例１−４では常に「強」で運転している。
【００７３】
「ファン回転数」の欄において、「ステージ１」は加熱室冷却モードの前半の期間を表し、「ステージ２」は加熱室冷却モードの後半の期間を表す。本実施の形態では、循環ファン６２０および冷却ファン８２０の回転数が可変に構成されているため、２つのステージを設け、それぞれのステージにおけるファンの回転数を異ならせる制御を可能としている。
【００７４】
実施例１では、ドア３００の開閉状態にかかわらず、かつ、ステージ１、２にかかわらず、循環ファン６２０および冷却ファン８２０を「強」運転に維持している。
【００７５】
循環ファン６２０の「強」運転は、コンベクションヒータユニット６００（ヒータ６３０）を用いたオーブン加熱を行うオーブン加熱モード（ヒータ加熱モード）のときの回転数と同じ回転数である。冷却ファン８２０の「強」運転は、高周波発生部４００を用いて行うマイクロ波加熱モードのときにマグネトロン４２０を冷却する回転数と同じ回転数である。
【００７６】
このような制御によれば、図１１を用いて説明した加熱室２００内の空気の入れ替えを最も促進し、加熱室２００内の冷却を促進することができる。
【００７７】
実施例２−４は、循環ファン６２０の運転形態が共通している。具体的には、ステージ１では「弱」運転を行い、ステージ２では「中」運転を行う。このように、加熱室冷却モードの初期段階であるステージ１では、循環ファン６２０の回転数を低く抑えるとともに、その後、循環ファン６２０の回転数を上昇させている。
【００７８】
特にドア３００が開いた状態で循環ファン６２０を運転させると、加熱室２００内の温度の高い空気が加熱室２００の外へ送風される。よって、循環ファン６２０の回転数を途中で上昇させるように制御することで、加熱室２００内の温度が高い初期段階の空気が外部に送風されることを抑制し、安全性を向上させることができる。さらに、温度が低くなった後の段階の空気の送風を促進することで、加熱室２００を効率的に冷却することができる。
【００７９】
実施例２−４では、ドア３００が開いた状態における冷却ファン８２０の運転形態が異なる。
【００８０】
具体的には、実施例２では、ステージ１、２において、冷却ファン８２０を「強」の回転数で運転させる。このように、冷却ファン８２０を「強」の回転数で継続的に運転させることで、加熱室冷却モードにおける加熱室２００内の冷却効果を最大限に高めることができる。
【００８１】
実施例３では、ステージ１において、冷却ファン８２０を「強」の回転数で運転させ、ステージ２において、冷却ファン８２０を「弱」の回転数で運転させる。このように、冷却ファン８２０の回転数を途中で低下させることで、加熱室２００内の温度が高い初期段階の冷却効果を高めつつ、温度が低くなった後の段階では回転数を低く抑えて省エネを実現することができる。
【００８２】
実施例４では、ステージ１において、冷却ファン８２０を「強」の回転数で運転させ、ステージ２において、冷却ファン８２０を「ＯＦＦ」として停止させる。このように、冷却ファン８２０の運転を途中で停止させることで、加熱室２００内の温度が高い初期段階の冷却効果を高めつつ、温度が低くなった後の段階では冷却ファン８２０を停止させて、更なる省エネを実現することができる。
【００８３】
上述したように、図１２に示すいずれの実施例１−４の加熱室冷却モードにおいても、ドア３００の開閉状態にかかわらず、循環ファン６２０および冷却ファン８２０を運転させている。これにより、図１１で説明したように加熱室２００内の空気の入れ替えを促進して冷却することができる。ドア３００の開閉にかかわらず加熱室冷却モードによって加熱室２００を効率的に冷却できることで、加熱調理器１を使用するユーザの利便性を向上させることができる。
【００８４】
なお、ドア３００を閉めた状態では、ドア３００が開いている状態よりもドア３００がユーザの邪魔になりにくい。また、ドア３００が開いた状態でも、全開の状態と半開の状態がある。全開の状態で加熱室冷却モードを実行した場合、加熱室２００の空気の入れ替えが促進され、加熱室２００の冷却を促進することができる。一方で、ドア３００が半開の状態で加熱室冷却モードを実行した場合、全開の状態よりもドア３００がユーザの邪魔になりにくい。同時に、ドア３００を、加熱室２００からの熱風を正面方向から逸らす熱風ガイド、および、加熱室２００内の音が漏れることを抑制する防音壁として機能させることができる。
【００８５】
加熱室冷却モードはステージ２が経過すると終了する。本実施の形態における加熱室冷却モードの終了のタイミングは、サーミスタ１５２による測定温度が所定温度以下になったとき、あるいは、加熱室冷却モードの開始から所定時間が経過したとき、のいずれかをユーザが選択することができる。具体的には、操作部３１０において「加熱室冷却モード」を選択するときに、加熱室冷却モードの終了のタイミングをあわせて選択できるようになっている。このように終了のタイミングを選択可能とすることで、ユーザの利便性をさらに向上させることができる。
【００８６】
＜３＞作用・効果
上述したように、本実施の形態の加熱調理器１は、マイクロ波による加熱およびヒータによる加熱を行う加熱調理器である。加熱室２００内の壁面において、循環ファン６２０用の吹出口２４２および吸込口２４１とは別に吸気口２２１および排気口２６０が形成されている。吸気口２２１は冷却ファン８２０による冷風を吸気可能であり、排気口２６０は筐体１００の外部に連通するように設けられている。制御基板９２０は、操作部３１０において加熱室冷却モードが選択されると、ドア３００の開閉状態にかかわらず循環ファン６２０および冷却ファン８２０を運転させる。これにより、吸気口２２１を介して加熱室２００外から冷風を吸込み、排気口２６０を介して加熱室２００外に空気を送り出す。
【００８７】
このように、加熱室冷却モードで循環ファン６２０と冷却ファン８２０を運転させて、吸気口２２１から加熱室２００内に冷風を吸込みつつ、排気口２６０から加熱室２００外に空気を送り出すことで、自然冷却する場合に比べて加熱室２００を速やかに冷却できる。これにより、前の調理によって加熱室２００が高温である場合にも加熱室２００を速やかに冷却して次の調理にスムーズに移行することができる。本実施の形態の発明では特に、吸気口２２１および排気口２６０を設けているため、ドア３００を閉じた状態であっても加熱室冷却モードを実施して加熱室２００内の空気の入れ替えを促進することができる。これにより、ドア３００の開閉状態にかかわらず加熱室冷却モードにより加熱室２００内を速やかに冷却することができ、加熱室２００の冷却運転を行う際のユーザの利便性を向上させることができる。
【００８８】
さらに本実施の形態の加熱調理器１は、ドア３００の開閉を判定するドア開閉判定部３３０を備える。このような構成によれば、ドア３００の開閉状態に応じて加熱室冷却モードの制御方法を変える等の工夫が可能となる。
【００８９】
さらに本実施の形態の加熱調理器１では、制御基板９２０は、ドア開閉判定部３３０によってドア３００が開いていると判定された場合に、加熱室冷却モードにおいて、循環ファン６２０の回転数を途中で上昇させるように制御する（実施例２−４）。このような循環ファン６２０の回転数制御によれば、加熱室２００の温度が高い初期段階において循環ファン６２０の回転数を低く抑え、温度が低くなった後の段階において循環ファン６２０の回転数を高くする制御が可能となる。これにより、特にドア３００が開かれた状態で運転され、加熱室２００の温度が高い初期段階において熱風が庫外に出ることを抑制して安全性を向上させながら、加熱室２００内を効率的に冷却することができる。
【００９０】
さらに本実施の形態の加熱調理器１では、制御基板９２０は、ヒータ６３０により加熱室２００内を加熱して循環ファン６２０を運転するヒータ加熱モードを有する。ドア開閉判定部３３０によってドア３００が開いていると判定された場合に、加熱室冷却モードの開始時における冷却ファン８２０の回転数（例えば「弱」）を、マイクロ波加熱モードにおける冷却ファン８２０の回転数よりも低く制御する（例えば「強」）。このように、加熱室冷却モードの開始時における冷却ファン８２０の回転数をマイクロ波加熱モード時の回転数よりも低く設定することで、ドア３００が開かれた状態で運転されても、加熱室２００の温度が高い初期段階において熱風が庫外に出ることを抑制できる。これにより、安全性を向上させることができる。
【００９１】
さらに本実施の形態の加熱調理器１は、加熱室２００の温度を測定するサーミスタ１５２をさらに備える。制御基板９２０は、サーミスタ１５２による温度の測定結果に応じて終了する第１の加熱室冷却モードと、所定時間の経過によって終了する第２の加熱室冷却モードとを有する。操作部３１０は、第１の加熱室冷却モードと第２の加熱室冷却モードのいずれかを選択可能とする。このように、終了のタイミングが異なる加熱室冷却モードを２つ設け、それらを選択可能とすることで、状況に応じて適切な加熱室冷却モードをユーザは選択することができ、ユーザの利便性を向上させることができる。
【００９２】
以上、上述の実施形態を挙げて本開示の発明を説明したが、本開示の発明は上述の実施形態に限定されない。例えば、上記実施形態では、加熱室冷却モードとして図１２に示す実施例１−４のパターンがある場合について説明したが、このような場合に限らず、これら以外のパターンによる加熱室冷却モードを実行してもよい。このとき、ドア３００の開閉状態にかかわらず、循環ファン６２０および冷却ファン８２０を運転させる制御であれば、任意の加熱室冷却モードを採用してもよい。
【００９３】
また上記実施形態では、加熱室冷却モードの終了タイミングをユーザが操作部３１０で選択できる場合について説明したが、このような場合に限らない。終了タイミングが予め決められており、その終了タイミングでのみ加熱室冷却モードが終了する場合であってもよい。また上記実施形態では、２つの終了タイミングとして、サーミスタ１５２の測定温度による閾値で設定した場合と、所定時間の経過により終了する場合について説明したが、このような場合に限らず、その他の基準により終了する場合であってもよい。
【００９４】
また上記実施形態では、加熱室２００の温度を測定する温度測定部としてサーミスタ１５２を用いる場合について説明したが、このような場合に限らず、サーミスタ以外の構成を採用してもよい。
【００９５】
また上記実施形態では、制御基板９２０において実施例１−４のうちのいずれかが予め設定され、設定された加熱室冷却モードのみを実行する場合について説明したが、このような場合に限らない。実施例１―４のような複数の制御パターンが制御基板９２０に記憶されており、加熱室冷却モードが選択されたときの各種条件に応じて、そのうちのいずれかが選択して実行されるように構成されてもよい。ここでの条件には例えば、前回実行された調理メニューや、サーミスタ１５２による温度測定結果などが含まれてもよい。すなわち、制御基板９２０は、循環ファン６２０および／又は冷却ファン８２０の回転数を異ならせて運転する複数の加熱室冷却モードを有し、加熱室冷却モードが選択された時の条件に応じて複数の加熱室冷却モードのうちの１つを選択して実行してもよい。このように、加熱室冷却モードが選択された時の条件に応じて加熱室冷却モードを選択することで、加熱室２００の冷却をより適切に実施することができる。
【００９６】
なお、上記様々な実施形態のうちの任意の実施形態を適宜組み合わせることにより、それぞれの有する効果を奏するようにすることができる。
【００９７】
本開示は、添付図面を参照しながら好ましい実施形態に関連して充分に記載されているが、この技術の熟練した人々にとっては種々の変形や修正は明白である。そのような変形や修正は、添付した特許請求の範囲による本開示の範囲から外れない限りにおいて、その中に含まれると理解されるべきである。また、各実施形態における要素の組合せや順序の変化は、本開示の範囲及び思想を逸脱することなく実現し得るものである。
【産業上の利用可能性】
【００９８】
本開示は、マイクロ波による加熱およびヒータによる加熱を行う加熱調理器であれば適用可能である。
【符号の説明】
【００９９】
１  加熱調理器
１５２  サーミスタ（温度測定部）
２００  加熱室
２２１  吸気口
２４１  吸込口
２４２  吹出口
２６０  排気口
３００  ドア
３１０  操作部
４２０  マグネトロン
６２０  循環ファン
８２０  冷却ファン
９２０  制御基板（制御部）
【図１】
2018136108.tif 000003
【図２】
2018136108.tif 000004
【図３】
2018136108.tif 000005
【図４】
2018136108.tif 000006
【図５】
2018136108.tif 000007
【図６】
2018136108.tif 000008
【図７】
2018136108.tif 000009
【図８】
2018136108.tif 000010
【図９】
2018136108.tif 000011
【図１０】
2018136108.tif 000012
【図１１Ａ】
2018136108.tif 000013
【図１１Ｂ】
2018136108.tif 000014
【図１２】
2018136108.tif 000015